(57)【特許請求の範囲】
【請求項１】
住宅（１）の一階と二階の外壁に上下方向に連続して、一階の窓サッシ（５）と二階の窓サッシ（６）を配置する構成であって、該一階の窓サッシ（５）と二階の窓サッシ（６）の間に、該窓サッシ（５・６）と同様に構成した層間パネル（７）を設け、前記層間パネル（７）は、ガラスパネル（１６）と窓枠（１７）で構成し、該窓枠（１７）は、前記一階の窓サッシ（５）と二階の窓サッシ（６）と同じ金属素材で構成し、同色系の塗装を施し、横幅を略同一に形成し、該一階の窓サッシ（５）の上部、及び二階の窓サッシ（６）の下部の位置の、上下途中部の外側に、化粧無目（３１）を取り付け、該化粧無目（３１）は、該窓サッシ（５・６）と同じ金属素材で構成し、水切り用の傾斜を構成し、該窓サッシ（５・６）と同色系の塗装を施し、横幅を略同一に形成し、窓サッシ（５・６）の上枠（８・１２）及び下枠（９・１３）と平行な水平方向に長尺な棒状に構成し、外観のアクセントとして、１階から２階と連続した構成となる窓に対して変化を持たせ、前記一階の窓サッシ（５）と層間パネル（７）の室内側下部に、目隠し板（３５）を着脱可能に取り付けたことを特徴とする窓サッシ。
【発明の詳細な説明】
【０００１】
【発明の属する技術分野】
本発明は、建物の外壁の開口部に取り付ける窓サッシに関し、特に、一階と二階の窓サッシが一体的に見えるようにする大型の窓サッシにおいて、外観を向上するための技術に関する。
【０００２】
【従来の技術】
従来、特開平１１−２５６９３５で提案されているように、上下の窓サッシ間にパネルを取り付け、上下の窓サッシに連続した装飾用縦部材を設けて、上下の窓サッシが連続して見えるようにしたものがある。
また、特開２０００−１１０２８０では、上下の窓サッシ間に、窓サッシと同質且つ同系色のパネルを取り付けることによって、上下の窓サッシを一体的に連続させたものが提案されている。
【０００３】
【発明が解決しようとする課題】
しかし、従来の窓サッシは、上下の窓サッシ間にパネルが取り付けられるので、ガラス窓が区切られてしまい、外部空間への連続性や一体空間を実現できないことがあった。
本発明では、上記の従来技術に鑑み、上下窓サッシのガラス窓が連続した外観となるようにし、意匠性の高い窓サッシを提案する。
【０００４】
【課題を解決するための手段】
本発明の解決しようとする課題は以上の如くであり、次にこの課題を解決するための手段を説明する。
【０００５】
住宅（１）の一階と二階の外壁に上下方向に連続して、一階の窓サッシ（５）と二階の窓サッシ（６）を配置する構成であって、該一階の窓サッシ（５）と二階の窓サッシ（６）の間に、該窓サッシ（５・６）と同様に構成した層間パネル（７）を設け、前記層間パネル（７）は、ガラスパネル（１６）と窓枠（１７）で構成し、該窓枠（１７）は、前記一階の窓サッシ（５）と二階の窓サッシ（６）と同じ金属素材で構成し、同色系の塗装を施し、横幅を略同一に形成し、該一階の窓サッシ（５）の上部、及び二階の窓サッシ（６）の下部の位置の、上下途中部の外側に、化粧無目（３１）を取り付け、該化粧無目（３１）は、該窓サッシ（５・６）と同じ金属素材で構成し、水切り用の傾斜を構成し、該窓サッシ（５・６）と同色系の塗装を施し、横幅を略同一に形成し、窓サッシ（５・６）の上枠（８・１２）及び下枠（９・１３）と平行な水平方向に長尺な棒状に構成し、外観のアクセントとして、１階から２階と連続した構成となる窓に対して変化を持たせ、前記一階の窓サッシ（５）と層間パネル（７）の室内側下部に、目隠し板（３５）を着脱可能に取り付けたものである。
【０００６】
【発明の実施の形態】
次に、発明の実施の形態を説明する。
【０００７】
図１は本発明に係る窓サッシを設けた住宅を示す正面図、図２は上側窓サッシの縦断面図、図３は下側の窓サッシの縦断面図である。
【０００８】
図４は層間パネルの縦断面図、図５は別実施例を示す下部窓サッシの縦断面図、図６は別実施例を示す下部窓サッシの縦断面図である。
【０００９】
図１は、一例として本発明に係る窓サッシが適用された戸建て住宅１を示すものである。該住宅１は二階建ての本屋部２と、該本屋部２の屋根または屋上の一部に位置して、内部が屋根裏部屋またはペントハウスまたは２．５階（中屋上階）となる小部屋３とで構成されている。本屋部２の一階と二階は平面視において略等しい形状に設計されて容積率が大きくなるようにしていて、一階と二階の間には屋根が設けられていない。但し、一部においては、例えば、二階の床部やバルコニー４等の構造物の突き出した空間を屋根として利用したり、庇を設けたりして、一階天井部分の雨除け及び日除けを確保している。
【００１０】
前記住宅１の本屋部２の一階と二階の外壁の一部に、床から天井までを開口した一階と二階にそれぞれ開口部が設けられている。この開口部は、開口部の上端と室内天井の位置が略同一となるように設けられているので、室内と室外との一体感を持たせることができる。
【００１１】
この開口部に、図２、図３に示すように、本屋部２の外壁に窓サッシ５、６が上下方向に設けられ、上下の窓サッシ５、６が一体的に連続した外観になるように、窓サッシ５と窓サッシ６との間に層間パネル７が取り付けられている。
【００１２】
窓サッシ５は上枠８、下枠９、縦枠１０・１０とにより正面視矩形状に固定されて窓枠１１が構成され、該窓枠１１内に窓ガラスが左右摺動可能に、または、上下摺動可能に、または、外方向に滑り出し可能に、または、窓枠１１に固定される。
また、窓サッシ６は、窓サッシ５と同じく、上枠１２、下枠１３、縦枠１４・１４とにより正面視矩形状に固定されて窓枠１５が構成され、該窓枠１５内に窓ガラスが左右摺動可能に、または、上下摺動可能に、または、外方向に滑り出し可能に、または、窓枠１５に固定される。
【００１３】
前記窓サッシ５の縦枠１０・１０、窓サッシ６の縦枠１４・１４及び層間パネル７の縦枠２０・２０に化粧板２９・２９が螺設されている。該化粧板２９・２９の室外側には断面Ｌ字状の固定片３０（図４）を介して化粧無目３１・３１・・・が取り付けられている。該化粧無目３１・３１・・・は、好みに応じて取り付け位置や数等を調節でき、窓サッシ５・６の上枠８・１２及び下枠９・１３と平行な水平方向に長尺な棒状に見える。
【００１４】
前記化粧無目３１は、窓サッシ５・６と同じ金属素材で構成されていて、水切り用の傾斜を有する。また、窓サッシ５、６と同色系の塗装が施され、窓サッシ５・６の横幅と略同一の長さに形成されている。これによって、好みに応じた位置に化粧無目３１を固定でき、外観のアクセントとすることができ、１階から２階と連続した構成となる窓に対して、変化を持たせて単純な窓に見えることを防止するようにしている。
【００１５】
図４に示すように、前記化粧無目３１が一階上部と二階下部に設けられ、両化粧無目３１・３１の間に窓サッシ５・６と同様に構成した層間パネル７が設けられている。層間パネル７は、ガラスパネル１６と該ガラスパネル１６を嵌め込む窓枠１７で構成されている。窓枠１７は、窓上枠１８、窓下枠１９、窓縦枠２０・２０によって形成された正面視矩形状の枠である。該窓枠１７は、窓サッシ５・６と同じ金属素材で構成されていて、窓サッシ５・６と同色系の塗装が施され、窓サッシ５・６の横幅と略同一の長さに形成されている。
【００１６】
また、ガラスパネル１６は、ガラスと目隠し板で構成されていて、正面視矩形状に形成されている。
これによって、化粧板２９で一階の窓サッシ５と二階の窓サッシ６が連続して見え、一階上部と二階下部に設けた化粧無目３１・３１で層間パネル７と上下の窓サッシ５・６とが一体的に見えるので、連続した外観を得られ、外観の意匠性の向上を図ることができる。
【００１７】
層間パネル７は、窓サッシ５の下枠９に螺設された断面略Ｌ字状の化粧板２１と窓サッシ６の上枠１２に螺設された断面略Ｌ字状の化粧板２２との間に嵌め込まれるように構成されている。該窓枠１７の窓上枠１８と化粧板２１との間、窓下枠１９と化粧板２２との間にはシーリング材２３が充填されている。
【００１８】
前記層間パネル７の室内側には窓枠１７と略同じ大きさの正面視矩形状の化粧板２４が窓枠１７と螺設されている。該化粧板２４の室内側が軸組２５に螺設されている。このように構成することで、軸組２５を室外側から見えないようにしている。
【００１９】
前記軸組２５の上部開口フレーム２５ａには断面コ字状の支持片２６が螺設されていて、この支持片２６の室外側に窓上枠１８が螺設されることで層間パネル７が軸組２５に固定される。また、該軸組２５の上部開口フレーム２５ａには固定片２７が螺設されていて、該固定片２７が室内側の梁２８に螺設されている。
【００２０】
また、図５に示すように、窓サッシ６が、可動窓３２と固定窓３３、３４が嵌め込まれて、連窓及び連段窓で構成されている。該窓サッシ６の可動窓３２は通風用に設けられ、窓サッシ６の固定窓３３は採光用に設けられる。
【００２１】
前記窓サッシ６の固定窓３４の室内側には目隠し板３５が設けられている。該目隠し板３５は、正面視矩形状の板であり、窓サッシ５・６の横幅と略同一の長さに形成されていて、縦幅の長さは用途に応じたり、好みに応じたりして自由に設定できるように形成されている。
【００２２】
また、目隠し板３５を内壁とほぼ同じ素材で形成し、同色系に塗装することで、固定窓３３の室内側は内壁として見え、固定窓３３の外観はガラス窓として見える。
【００２３】
前記目隠し板３５は、縦幅を固定窓３４の長さと略同じにして、幅木３６を取り付けて床板に垂設され、固定片３７を介して窓枠１１に固定される。該固定片３７は目隠し板３５に螺設され、縦枠１４・１４に設けられた図示せぬ突起に係合されて、窓枠１５に固定される。但し、目隠し板３７の固定方法はこれに限定されるものではない。
このように構成することで、室内下部を隠蔽できるとともに、外観をガラスとして見えるようにできる。また、室内側からは目隠し板３５部分は内壁として見え、目隠し板３５の上部はガラス窓として見える。
【００２４】
また、目隠し板３５は着脱可能であるため、目隠し板３５の大きさ或いは設置位置を変更することによって、窓サッシ６を取り替えることなく窓の位置や隠蔽部の変更等のように室内の用途や好みに素早く応じることができる。
【００２５】
例えば、図６に示すように、室内の中央部を室外から隠蔽する場合には、目隠し板３５の代わりに目隠し板３８を固定窓３３の室内側に設けることにより簡単に変更できる。さらに、固定窓３４を可動窓に変更することにより、可動窓３３とで換気を行うことができる。
このように構成することによって、用途や好みに応じて意匠性、採光性を簡単に調節することができる。
【００２６】
【発明の効果】
本発明は、以上のように構成したので、以下に示すような効果を奏する。
【００２７】
住宅（１）の一階と二階の外壁に上下方向に連続して、一階の窓サッシ（５）と二階の窓サッシ（６）を配置する構成であって、該一階の窓サッシ（５）と二階の窓サッシ（６）の間に、該窓サッシ（５・６）と同様に構成した層間パネル（７）を設け、前記層間パネル（７）は、ガラスパネル（１６）と窓枠（１７）で構成し、該窓枠（１７）は、前記一階の窓サッシ（５）と二階の窓サッシ（６）と同じ金属素材で構成し、同色系の塗装を施し、横幅を略同一に形成し、該一階の窓サッシ（５）の上部、及び二階の窓サッシ（６）の下部の位置の、上下途中部の外側に、化粧無目（３１）を取り付け、該化粧無目（３１）は、該窓サッシ（５・６）と同じ金属素材で構成し、水切り用の傾斜を構成し、該窓サッシ（５・６）と同色系の塗装を施し、横幅を略同一に形成し、窓サッシ（５・６）の上枠（８・１２）及び下枠（９・１３）と平行な水平方向に長尺な棒状に構成し、外観のアクセントとして、１階から２階と連続した構成となる窓に対して変化を持たせ、前記一階の窓サッシ（５）と層間パネル（７）の室内側下部に、目隠し板（３５）を着脱可能に取り付けたので、外観のアクセントとして利用でき、意匠性の向上を図ることができる。
【００２８】
また、前記化粧無目を一階上部と二階下部に設け、両化粧無目の間に窓サッシと同様に構成した層間パネルを設けるので、窓サッシに一体感を持たせることができ、外観の意匠性の向上を図ることができる。
【００２９】
また、住宅の一階と二階の外壁に上下方向に連続して窓サッシを配置する構成であって、該窓サッシの室内側下部に目隠し板を着脱可能に取り付けたので、ガラス窓が連続した外観を維持しつつ内部空間の隠蔽部でき、窓サッシを取り替えることなく内装の変更に素早く対応できる。また、外部からは目隠し板によって遮られて内部を見えなくすることができて、見られたくない場合には目隠し板を取り付けて、開放感を味わいたい場合には外すことができ、気分や好みに応じて容易に着脱して変更できる。
【００３０】
【図面の簡単な説明】
【図１】  本発明に係る窓サッシを設けた住宅を示す正面図。
【図２】  上側窓サッシの縦断面図。
【図３】  下側の窓サッシの縦断面図。
【図４】  層間パネルの縦断面図。
【図５】  別実施例を示す下部窓サッシの縦断面図。
【図６】  別実施例を示す下部窓サッシの縦断面図。
【符号の説明】
１  住宅
５  窓サッシ
６  窓サッシ
７  層間パネル
３１  化粧無目
【図１】
0003974348.tif 000002
【図２】
0003974348.tif 000003
【図３】
0003974348.tif 000004
【図４】
0003974348.tif 000005
【図５】
0003974348.tif 000006
【図６】
0003974348.tif 000007